(57)【特許請求の範囲】
【請求項１】
入力信号の周波数を計測する周波数カウンタと、
外部から与えられるバイアス電圧を受けて発振する一次発振器と、
前記入力信号の周波数と前記一次発振器の周波数との比を与えて第１、第２および第３の制御信号を出力する定数決定部と、
前記入力信号に応じた基準信号を与えて帰還信号との位相比較をする位相比較器と、
当該位相比較結果に基づいてチャージ電流を出力し、前記第１の制御信号に従って前記チャージ電流の大きさを変更可能なチャージポンプ回路と、
前記チャージ電流のフィルタリングを行い、前記第２の制御信号に従って時定数を変更可能なループフィルタと、
前記ループフィルタの出力電圧に応じて発振し、前記第３の制御信号に従ってゲインを変更可能な電圧制御発振器と、
前記電圧制御発振器の出力信号を分周して前記帰還信号を生成する出力信号分周器と、  を備え、
前記バイアス電圧に応じて前記チャージポンプ回路の充放電電流値を制御した
ことを特徴とする位相同期回路。
【請求項２】
基準信号と帰還信号との位相比較をする位相比較器と、当該位相比較結果に基づいてチャージ電流を出力するチャージポンプ回路と、前記チャージ電流のフィルタリングを行うループフィルタと、前記ループフィルタの出力電圧に応じて発振する電圧制御発振器と、前記電圧制御発振器の出力信号を分周して前記帰還信号を生成する出力信号分周器とを備えた位相同期回路であって、
前記チャージポンプ回路は、第１の制御信号に従って前記チャージ電流の大きさを変更可能なものであり、
前記ループフィルタは、第２の制御信号に従って時定数を変更可能なものであり、
前記電圧制御発振器は、第３の制御信号に従ってゲインを変更可能なものであり、
当該位相同期回路は、
入力信号の周波数に対する当該位相同期回路の自然周波数の比例定数及びダンピングファクタがそれぞれ所定値となるように、前記チャージ電流の大きさ、前記ループフィルタの時定数及び前記電圧制御発振器のゲインを決定し、当該決定に基づいて前記第１から第３の制御信号を出力する定数決定部と、
前記入力信号の周波数を計測する周波数カウンタと、
前記チャージポンプ回路に与えられるバイアスを受けて発振する一次発振器をと備え、
前記周波数カウンタは、前記一次発振器の出力信号の１周期あたりの前記入力信号のパルス数を、前記入力信号の周波数としてカウントするものである
ことを特徴とする位相同期回路。
【請求項３】
請求項２に記載の位相同期回路において、
前記一次発振器は、
容量と、
前記容量の電圧及び第１の基準電圧の大小比較をする第１の比較器と、
前記容量の電圧及び第２の基準電圧の大小比較をする第２の比較器と、
前記第１及び第２の比較器の比較結果を受けるＲＳフリップフロップと、
前記ＲＳフリップフロップの反転出力及び非反転出力に従って、前記バイアスに応じた大きさの電流で前記容量の充放電を行うチャージポンプ回路とを有するものである
ことを特徴とする位相同期回路。
【請求項４】
基準信号と帰還信号との位相比較をする位相比較器と、当該位相比較結果に基づいてチャージ電流を出力するチャージポンプ回路と、前記チャージ電流のフィルタリングを行うループフィルタと、前記ループフィルタの出力電圧に応じて発振する電圧制御発振器と、前記電圧制御発振器の出力信号を分周して前記帰還信号を生成する出力信号分周器とを備えた位相同期回路であって、
前記チャージポンプ回路は、第１の制御信号に従って前記チャージ電流の大きさを変更可能なものであり、
前記ループフィルタは、第２の制御信号に従って時定数を変更可能なものであり、
前記電圧制御発振器は、第３の制御信号に従ってゲインを変更可能なものであり、
当該位相同期回路は、
入力信号の周波数に対する当該位相同期回路の自然周波数の比例定数及びダンピングファクタがそれぞれ所定値となるように、前記チャージ電流の大きさ、前記ループフィルタの時定数及び前記電圧制御発振器のゲインを決定し、当該決定に基づいて前記第１から第３の制御信号を出力する定数決定部を備え、
前記定数決定部は、
前記入力信号の周波数に応じて、前記ゲインとして複数の値の中からいずれか一つを選択するゲイン選択部と、
チャージ電流の基準値に前記入力信号の周波数の対基準値の２乗値及び前記選択されたゲインの対基準値の逆数を乗じたものである第１の値に基づいて、前記チャージ電流の大きさを決定するチャージ電流決定部と、
時定数の基準値に前記入力信号の周波数の対基準値の逆数を乗じたものである第２の値に基づいて、前記時定数を決定する時定数決定部とを有するものである
ことを特徴とする位相同期回路。
【請求項５】
請求項４に記載の位相同期回路において、
前記出力信号分周器は、分周比を変更可能なものであり、
前記チャージ電流決定部は、前記第１の値に前記分周比の対基準値を乗じた値に基づいて、前記チャージ電流の大きさを決定するものである
ことを特徴とする位相同期回路。
【請求項６】
請求項４に記載の位相同期回路において、
前記入力信号を分周して前記基準信号を生成する入力信号分周器を備え、
前記入力信号分周器は、分周比を変更可能なものであり、
前記チャージ電流決定部は、前記第１の値に前記分周比の対基準値の逆数の２乗値を乗じた値に基づいて、前記チャージ電流の大きさを決定するものであり、
前記時定数決定部は、前記第２の値に前記分周比の対基準値を乗じた値に基づいて、前記時定数を決定するものである
ことを特徴とする位相同期回路。
【請求項７】
請求項４に記載の位相同期回路において、
前記ループフィルタは、前記第２の制御信号に従って抵抗値を変更可能であり、かつ、第４の制御信号に従って容量値を変更可能なものであり、
前記定数決定部は、前記入力信号の周波数に応じて、前記ループフィルタの容量値として複数の値の中からいずれか一つを選択する容量値選択部を有し、前記ループフィルタの容量値を決定し、当該決定に基づいて前記第４の制御信号を出力するものであり、
前記チャージ電流決定部は、前記第１の値に前記選択された容量値の対基準値を乗じた値に基づいて、前記チャージ電流の大きさを決定するものであり、
前記時定数決定部は、前記第２の値に前記選択された容量値の対基準値の逆数を乗じた値に基づいて、前記ループフィルタの抵抗値を決定するものである
ことを特徴とする位相同期回路。
【請求項８】
請求項４に記載の位相同期回路において、
前記定数決定部は、前記入力信号の周波数に応じて、前記比例定数として複数の値の中からいずれか一つを選択する比例定数選択部を有するものであり、
前記チャージ電流決定部は、前記第１の値に前記選択された比例定数の対基準値の２乗値の逆数を乗じた値に基づいて、前記チャージ電流の大きさを決定するものであり、
前記時定数決定部は、前記第２の値に前記選択された比例定数の対基準値を乗じた値に基づいて、前記時定数を決定するものである
ことを特徴とする位相同期回路。
【請求項９】
請求項１に記載の位相同期回路において、
前記ループフィルタは、スイッチトキャパシタフィルタを有する
ことを特徴とする位相同期回路。
【請求項１０】
請求項９に記載の位相同期回路において、
前記スイッチトキャパシタフィルタは、前記入力信号により制御される
ことを特徴とする位相同期回路。
【請求項１１】
入力信号の周波数を計測する周波数カウンタと、
外部から与えられるバイアス電圧を受けて発振する一次発振器と、
前記入力信号の周波数と前記一次発振器の周波数との比を与えて制御信号を出力する定数決定部と、
前記入力信号に応じた基準信号を与えて帰還信号との位相比較をする位相比較器と、
当該位相比較結果に基づいてチャージ電流を出力し、前記制御信号に従って前記チャージ電流の大きさを変更可能なチャージポンプ回路と、
前記チャージ電流のフィルタリングを行うループフィルタと、
前記ループフィルタの出力電圧に応じて発振する電圧制御発振器と、
を備え、
前記バイアス電圧に応じて前記チャージポンプ回路の充放電電流値を制御した
ことを特徴とする位相同期回路。
【発明の詳細な説明】
【技術分野】
【０００１】
本発明は、位相同期回路に関し、特に、入力信号の周波数に応じて自動的に応答定数を変更する自律制御型位相同期回路に関する。
【背景技術】
【０００２】
信号処理用プロセッサや演算処理用プロセッサは現代社会の信号処理技術の中核をなすＬＳＩである。近年、これらプロセッサには低消費電力化及び高速動作の双方が要求されている。したがって、これらプロセッサに搭載される位相同期回路は、非常に高速のクロック信号から間欠動作時などにおける非常に低速のクロック信号までを生成する必要がある。また、これらプロセッサの応用範囲は幅広いため、位相同期回路には非常に広い周波数範囲の入力信号が与えられることとなる。したがって、プロセッサに搭載される位相同期回路は、入力信号及び出力信号の周波数に合わせて自動的に応答定数を変更できる機能を備えていることが望ましい。このような機能を備えた位相同期回路は、特に、自律制御型位相同期回路と呼ばれる。
【０００３】
一般に、位相同期回路の自然周波数（ループバンド幅又は応答周波数ともいう）ωｎ及びダンピングファクタζは、それぞれ、次式（１）及び（２）で表される。
【０００４】
【数１】
0004754580.tif 000002
【０００５】
ただし、Ｋｏは電圧制御発振器のゲイン、Ｉｐはチャージポンプ回路から出力されるチャージ電流の大きさ、Ｃはループフィルタの容量値、Ｒはループフィルタの抵抗値である。また、入力周波数ωｉｎと自然周波数ωｎとの間には次式（３）の関係が成り立つ。
【０００６】
【数２】
0004754580.tif 000003
【０００７】
ただし、αは比例定数である。
【０００８】
位相同期回路において、入力周波数ωｉｎと自然周波数ωｎとの間の関係である比例定数α及びダンピングファクタζは入力周波数ωｉｎにかかわらず一定であることが好ましい。従来の自律制御型位相同期回路では、電圧制御発振器の制御電圧に連動してチャージ電流の大きさ及びループフィルタの時定数を制御して、入力信号の周波数変動に対して比例定数及びダンピングファクタを所定値に保つことが行われている（例えば、特許文献１参照）。
【特許文献１】米国特許第５７２７０３７号明細書
【発明の開示】
【発明が解決しようとする課題】
【０００９】
従来の自律制御型位相同期回路では、入力周波数の変動に対してその２乗の割合でチャージ電流の大きさを変化させる必要がある。したがって、特にプロセッサに搭載されるような、入力周波数が数百倍もの幅で変化する位相同期回路の場合、チャージ電流を数十ナノアンペアから数百マイクロアンペアまでの実に数万倍の幅で制御する必要がある。
【００１０】
チャージポンプ回路の動作電流が小さくなり過ぎると、チャージポンプ回路から発生する雑音が大きくなり、位相同期回路のジッタ特性は劣化する。一方、チャージポンプ回路の動作電流が大きくなり過ぎると消費電力の増加を招くとともに、チャージポンプ回路を構成するトランジスタのサイズを大きくする必要から、トランジスタの寄生容量に起因するチャージインジェクションノイズにより位相同期回路のジッタ特性は劣化する。
【００１１】
上記問題に鑑み、本発明は、位相同期回路について、幅広く変化する入力周波数に対して優れたジッタ特性を実現することを課題とする。
【課題を解決するための手段】
【００１２】
上記課題を解決するために本発明が講じた手段は、位相同期回路として、基準信号と帰還信号との位相比較をする位相比較器と、位相比較結果に基づいてチャージ電流を出力するチャージポンプ回路と、チャージ電流のフィルタリングを行うループフィルタと、ループフィルタの出力電圧に応じて発振する電圧制御発振器と、電圧制御発振器の出力信号を分周して帰還信号を生成する出力信号分周器と、入力信号の周波数に対する当該位相同期回路の自然周波数の比例定数及びダンピングファクタがそれぞれ所定値となるように、チャージ電流の大きさ、ループフィルタの時定数及び電圧制御発振器のゲインの諸定数を決定し、当該決定に基づいて第１から第３の制御信号を出力する定数決定部を備えているものとする。ここで、チャージポンプ回路は、第１の制御信号に従ってチャージ電流の大きさを変更可能なものである。また、ループフィルタは、第２の制御信号に従って時定数を変更可能なものである。また、電圧制御発振器は、第３の制御信号に従ってゲインを変更可能なものである。
【００１３】
これによると、位相同期回路の入力信号の周波数に応じて、当該周波数に対する位相同期回路の自然周波数の比例定数及びダンピングファクタがそれぞれ所定値となるように、チャージポンプ回路から出力されるチャージ電流の大きさ、ループフィルタの時定数及び電圧制御発振器のゲインの諸定数が制御される。これにより、入力周波数の変動に対してその２乗の割合でチャージ電流の大きさを変化させる必要がなくなり、チャージ電流の大きさの制御幅は比較的小さくて済む。したがって、幅広く変化する入力周波数に対して優れたジッタ特性が得られる。
【００１４】
好ましくは、上記の位相同期回路は、入力信号の周波数を計測する周波数カウンタを備えているものとし、より好ましくは、さらに、チャージポンプ回路に与えられるバイアスを受けて発振する一次発振器を備えているものとする。具体的には、周波数カウンタは、一次発振器の出力信号の１周期あたりの入力信号のパルス数を、入力信号の周波数としてカウントするものである。
【００１５】
これによると、環境温度などの変化に応じて位相同期回路の諸定数が変動しても入力周波数のカウントの基準となる一次発振器の発振周波数も当該環境変化に応じて変動するため、位相同期回路の諸定数の変動は一次発振器の発振周波数の変動によって相殺される。したがって、環境温度の変化などに対するロバスト性を向上することができる。
【００１６】
また、具体的には、一次発振器は、容量と、当該容量の電圧及び第１の基準電圧の大小比較をする第１の比較器と、当該容量の電圧及び第２の基準電圧の大小比較をする第２の比較器と、第１及び第２の比較器の比較結果を受けるＲＳフリップフロップと、ＲＳフリップフロップの反転出力及び非反転出力に従って、上記バイアスに応じた大きさの電流で当該容量の充放電を行うチャージポンプ回路とを有するものである。
【００１７】
一方、具体的には、定数決定部は、入力信号の周波数に応じて、ゲインとして複数の値の中からいずれか一つを選択するゲイン選択部と、チャージ電流の基準値に入力信号の周波数の対基準値の２乗値及び選択されたゲインの対基準値の逆数を乗じたものである第１の値に基づいて、チャージ電流の大きさを決定するチャージ電流決定部と、時定数の基準値に入力信号の周波数の対基準値の逆数を乗じたものである第２の値に基づいて、時定数を決定する時定数決定部とを有するものである。
【００１８】
好ましくは、出力信号分周器は、分周比を変更可能なものとする。そして、チャージ電流決定部は、上記第１の値に当該分周比の対基準値を乗じた値に基づいて、チャージ電流の大きさを決定するものとする。
【００１９】
また、好ましくは、上記の位相同期回路は、入力信号を分周して基準信号を生成する入力信号分周器を備えているものとする。ここで、入力信号分周器は、分周比を変更可能なものとする。また、チャージ電流決定部は、上記第１の値に当該分周比の対基準値の逆数の２乗値を乗じた値に基づいて、チャージ電流の大きさを決定するものとする。また、時定数決定部は、上記第２の値に当該分周比の対基準値を乗じた値に基づいて、時定数を決定するものとする。
【００２０】
また、好ましくは、ループフィルタは、第３の制御信号に従って抵抗値を変更可能であり、かつ、第４の制御信号に従って容量値を変更可能なものとする。また、定数決定部は、入力信号の周波数に応じて、ループフィルタの容量値として複数の値の中からいずれか一つを選択する容量値選択部を有し、ループフィルタの容量値を決定し、当該決定に基づいて第４の制御信号を出力するものとする。また、チャージ電流決定部は、上記第１の値に選択された容量値の対基準値を乗じた値に基づいて、チャージ電流の大きさを決定するものとする。また、時定数決定部は、上記第２の値に選択された容量値の対基準値の逆数を乗じた値に基づいて、ループフィルタの抵抗値を決定するものとする。
【００２１】
また、好ましくは、定数決定部は、入力信号の周波数に応じて、比例定数として複数の値の中からいずれか一つを選択する比例定数選択部を有するものとする。また、チャージ電流決定部は、上記第１の値に選択された比例定数の対基準値の２乗値の逆数を乗じた値に基づいて、チャージ電流の大きさを決定するものとする。また、時定数決定部は、上記第２の値に選択された比例定数の対基準値を乗じた値に基づいて、時定数を決定するものとする。
【００２２】
一方、好ましくは、ループフィルタは、スイッチトキャパシタフィルタを有するものとする。具体的には、スイッチトキャパシタフィルタは、入力信号により制御される。
【発明の効果】
【００２３】
以上説明したように、本発明によると、位相同期回路の入力周波数の変動に対してその１乗のオーダーでチャージ電流の大きさを制御すればよくなるため、チャージ電流の大きさ制御に起因するジッタ特性の劣化が抑制され、優れたジッタ特性を実現することができる。
【発明を実施するための最良の形態】
【００２４】
以下、本発明を実施するための最良の形態について、図面を参照しながら説明する。
【００２５】
（第１の実施形態）
図１は、第１の実施形態に係る位相同期回路の構成を示す。本位相同期回路は、入力信号ＣＫｉｎを分周して基準信号ＣＫｒｅｆを生成する分周器１０、基準信号ＣＫｒｅｆと帰還信号ＣＫｄｉｖとの位相を比較する位相比較器２０、当該位相比較結果（信号ＵＰ及びＤＮ）に基づいてチャージ電流Ｉｐ（以下、チャージ電流の大きさとしてＩｐを用いることがある。）を出力するチャージポンプ回路３０、チャージ電流Ｉｐのフィルタリングを行うループフィルタ４０、ループフィルタ４０の出力電圧Ｖｃに応じて発振する電圧制御発振器５０、電圧制御発振器５０の出力信号ＣＫｏｕｔを分周して帰還信号ＣＫｄｉｖを生成する分周器６０、チャージポンプ回路に与えられるバイアスＶｂを受けて発振する一次発振器７０、一次発振器７０の出力信号ＣＫ０の１周期あたりの入力信号ＣＫｉｎのパルス数をカウントする周波数カウンタ８０、及び当該位相同期回路の諸定数を決定する定数決定部９０を備えている。
【００２６】
分周器１０は、入力された分周比設定値Ｍに従って分周比（１／Ｍ）を変更可能に構成されている。同様に、分周器６０は、入力された分周比設定値Ｎに従って分周比（１／Ｎ）を変更可能に構成されている。また、チャージポンプ回路３０は、制御信号ＣＴＬ１に従ってチャージ電流Ｉｐの大きさを変更可能に構成されている。ループフィルタ４０は、制御信号ＣＴＬ２に従って時定数を変更可能に構成されている。電圧制御発振器５０は、制御信号ＣＴＬ３に従ってゲインを変更可能に構成されている。これら制御信号ＣＴＬ１、ＣＴＬ２及びＣＴＬ３は、周波数カウンタ８０から出力されたカウント値ω及び分周比設定値Ｍ及びＮに基づいて、定数決定部９０から出力される。
【００２７】
図２は、チャージポンプ回路３０の内部構成例を示す。本例に係るチャージポンプ回路３０では、制御信号ＣＴＬ１に従って、バイアスＶｂの入力端子に接続されるＮＭＯＳトランジスタの個数が変化するように構成されている。チャージ電流Ｉｐの大きさはバイアスＶｂの入力端子に接続されるＮＭＯＳトランジスタの個数に応じて変化する。
【００２８】
図３は、ループフィルタ４０の内部構成例を示す。本例に係るループフィルタ４０では、制御信号ＣＴＬ２に従って、並列接続される抵抗の個数が変化するように構成されている。ループフィルタ４０の時定数は並列接続される抵抗の個数に応じて変化する。
【００２９】
図４は、電圧制御発振器５０の内部構成例を示す。本例に係る電圧制御発振器５０は、電圧電流変換器５０１、カレントミラー回路５０２及びインバータチェーン発振器５０３を備えている。制御電圧Ｖｃは電圧電流変換器５０１によって電流に変換され、さらにカレントミラー回路５０２によってミラーリングされた電流がインバータチェーン発振器５０３を駆動する。電圧電流変換器５０１では、制御信号ＣＴＬ３に従って、制御電圧Ｖｃの入力端子に接続されるＮＭＯＳトランジスタの個数が変化するように構成されている。電圧制御発振器５０のゲインは制御電圧Ｖｃの入力端子に接続されるＮＭＯＳトランジスタの個数に応じて変化する。
【００３０】
図５は、一次発振器７０の内部構成例を示す。本例に係る一次発振器７０は、容量７０１、容量７０１の電圧及び基準電圧ＲＥＦＨの大小を比較する比較器７０２、容量７０１の電圧及び基準電圧ＲＥＦＬ（ただし、ＲＥＦＨ＞ＲＥＦＬ）の大小を比較する比較器７０３、比較器７０２及び７０３の比較結果を受けるＲＳフリップフロップ７０４、ＲＳフリップフロップ７０４の反転出力及び非反転出力に従って、容量７０１に対してバイアスＶｂに応じた大きさの電流で充放電を行うチャージポンプ回路７０５を備えている。ＲＳフリップフロップ７０４の反転出力及び非反転出力のいずれかが一次発振器７０の出力信号ＣＫ０となる。図６は、一次発振器７０の発振波形を示す。一次発振器７０の発振波形は、基準電圧ＲＥＦＨ及びＲＥＦＬの間で変化する三角波となる。そして、容量７０１の容量値をＣ０、チャージポンプ回路７０５の出力電流の大きさをＩ０とすると、一次発振器７０の発振周波数ω０は次式（４）のように表される。
【００３１】
【数３】
0004754580.tif 000004
【００３２】
図７は、周波数カウンタ８０の内部構成例を示す。本例に係る周波数カウンタ８０は、入力信号ＣＫｉｎ（周波数ωｉｎ）におけるパルスの数をカウントするカウンタ８０１、及びカウンタ８０１のカウント値ＣＮＴを一次発振器７０の出力信号ＣＫ０でラッチするラッチ回路８０２を備えている。すなわち、本周波数カウンタ８０は、一次発振器７０の出力信号ＣＫ０（周波数ω０）の１周期あたりの入力信号ＣＫｉｎのパルス数をカウントして、そのカウント値ωを出力する。したがって、カウント値ωは次式（５）で表される。
【００３３】
【数４】
0004754580.tif 000005
【００３４】
本位相同期回路において、分周器１０及び６０の分周比を考慮すると、式（１）及び（２）は次式（６）及び（７）のように変換される。
【００３５】
【数５】
0004754580.tif 000006
【００３６】
ここで、入力周波数ωｉｎの基準値としてωｒｅｆ、ゲインＫｏの基準値としてＫｒｅｆ、分周比１／Ｍ及び１／Ｎの基準値として１／Ｍｒｅｆ及び１／Ｎｒｅｆ、比例定数αの基準値としてαｒｅｆ、チャージ電流Ｉｐの基準値としてＩｒｅｆ、及びループフィルタ４０の抵抗値Ｒの基準値としてＲｒｅｆを導入すると、チャージ電流Ｉｐ及び抵抗値Ｒについて次式（８）及び（９）が成り立つ。
【００３７】
【数６】
0004754580.tif 000007
【００３８】
ただし、式（６）及び（７）におけるωｉｎは、式（８）及び（９）では、周波数カウンタ８０から出力されるカウント値ωに置き換えている。また、α（ω）はカウント値ωを変数として比例定数αを返す関数、Ｋｏ（ω）はカウント値ωを変数としてゲインＫｏを返す関数である。
【００３９】
定数決定部９０は、式（８）及び（９）に従って、チャージ電流Ｉｐの大きさを制御する制御信号ＣＴＬ１、ループフィルタ４０の時定数を制御する制御信号ＣＴＬ２、及び電圧制御発振器５０のゲインを制御する制御信号ＣＴＬ３を出力する。図８は、定数決定部９０の内部構成例を示す。本例に係る定数決定部９０は、ゲイン選択部９１、比例定数選択部９２、チャージ電流決定部９３及び時定数決定部９４を備えている。
【００４０】
ゲイン選択部９１は、カウント値ωに対応するゲインＫｏを表す制御信号ＣＴＬ２を出力する。すなわち、ゲイン選択部９１は上記の関数Ｋｏ（ω）を実現するものである。同様に、比例定数選択部９２は、カウント値ωに対応する比例定数αを表す信号を出力する。すなわち、比例定数選択部９２は上記の関数α（ω）を実現するものである。具体的には、ゲイン選択部９１及び比例定数選択部９２は、それぞれ、カウント値ωに対して離散値を出力するルックアップテーブルで実現可能である。
【００４１】
チャージ電流決定部９３は、複数の乗算器９０１、複数の２乗演算回路９０２、及び逆数演算器９０３から構成され、カウント値ω、分周比設定値Ｍ及びＮ、ゲイン選択部９１の出力、及び比例定数選択部９２の出力を受け、式（８）に従って、カウント値ωに対するチャージ電流Ｉｐの大きさを制御する制御信号ＣＴＬ１を出力する。時定数決定部９４は、複数の乗算器９０１及び逆数演算器９０３から構成され、カウント値ω、分周比設定値Ｍ及びＮ、及び比例定数選択部９２の出力を受け、式（９）に従って、カウント値ωに対するループフィルタ４０の時定数を制御する制御信号ＣＴＬ２を出力する。チャージ電流決定部９３及び時定数決定部９４において内部的に入力されるωｒｅｆなどの各種基準値はレジスタ群に格納されている。
【００４２】
なお、上記の定数決定部９０の構成はほんの一例であり、式（８）及び（９）を実現する回路構成は他にもさまざまなものが考えられる。また、プロセッサなどで数値演算によりチャージ電流Ｉｐの大きさ、ループフィルタ４０の時定数及び電圧制御発振器５０のゲインをそれぞれ算出するようにしてもよい。
【００４３】
図９は、本位相同期回路の応答特性を示すグラフである。入力信号ＣＫｉｎの周波数ωｉｎが変化するとカウント値ωが変化し、それに応じて位相同期回路の諸定数が変更される。この結果、入力信号ＣＫｉｎの位相と同期するように、電圧制御発振器５０の制御電圧Ｖｃが変化して所定値に収束する。
【００４４】
ところで、一般的な位相同期回路では、環境温度などが変化した場合、チャージ電流Ｉｐの大きさや各種容量値などが変動して応答特性が変化してしまう。これに対して、本位相同期回路は、一次発振器７０の発振周波数ω０によって変動する周波数カウンタ８０のカウント値ωに基づいて諸定数を自動制御するため下記のとおりロバスト性に優れている。例えば、環境温度の変化などによりチャージ電流Ｉｐが大きく（又は小さく）なろうとすると、一次発振器７０における電流Ｉ０もまた大きく（又は小さく）なろうとする。電流Ｉ０が大きく（又は小さく）なると、一次発振器７０の発振周波数ω０は大きく（又は小さく）なり、周波数カウンタ８０のカウント値ωは小さく（又は大きく）なる。この結果、定数決定部９０によってチャージ電流Ｉｐの大きさが小さく（又は大きく）なるように制御され、チャージ電流Ｉｐの変動は相殺される。
【００４５】
また、一次発振器７０とループフィルタ４０とが同じチップ上に実装されていれば、一次発振器７０における容量７０１の容量値Ｃ０とループフィルタ４０の容量値Ｃとは同じ割合で変動する。したがって、例えば、ループフィルタ４０の容量値Ｃが小さく（又は大きく）なると、一次発振器７０における容量７０１の容量値Ｃ０もまたこれと同じ割合で小さく（又は大きく）なる。容量７０１の容量値Ｃ０が小さくなると、一次発振器７０の発振周波数ω０は大きく（又は小さく）なり、周波数カウンタ８０のカウント値ωは小さく（又は大きく）なる。この結果、定数決定部９０によってチャージ電流Ｉｐの大きさが小さく（又は大きく）なるように制御され、式（６）においてループフィルタ４０の容量値Ｃの変動はチャージ電流Ｉｐの制御により相殺される。
【００４６】
また、チャージポンプ回路３０及び一次発振器７０に共通のバイアスを与えていることにより、バイアス変動に伴うチャージ電流Ｉｐの変動は相殺される。もっとも、バイアスＶｂを基準電圧源から供給することにより、環境温度などの変化に対するバイアス変動は抑制される。
【００４７】
以上、本実施形態によると、入力周波数が変化したとき、チャージ電流の大きさだけではなく電圧制御発振器のゲインも同時に制御されるため、チャージ電流の大きさの変化の幅が比較的小さくて済む。例えば、入力周波数が１００倍の範囲で変化する場合、電圧制御発振器のゲインを１６倍の範囲で可変にすることで、チャージ電流の変化の幅は６２５倍（＝１００２／１６）で済む。すなわち、チャージ電流の大きさの変化の割合は、入力周波数の変動に対してその１乗のオーダーとなる。これにより、微少のチャージ電流を用いなくて済み、また、チャージポンプ回路を構成するトランジスタのサイズを特に大きくする必要もないため、位相同期回路のジッタ特性の劣化が回避される。
【００４８】
なお、分周器１０及び６０の分周比及び比例定数αはいずれも固定値であってもよい。また、分周器１０は特に省略してもよい。また、上述したロバスト性を考慮しないのであれば、一次発振器７０に代えて水晶発振器などを用いてもよい。また、外部から位相同期回路に入力信号の周波数に関する情報が与えられるのであれば、周波数カウンタ８０は特に省略してもよい。
【００４９】
また、入力信号ＣＫｉｎに代えて基準信号ＣＫｒｅｆを周波数カウンタ８０に入力することも可能である。しかし、周波数カウンタ８０による周波数カウントの精度が劣化するため、好ましくは分周器１０に入力される信号、すなわち、入力信号ＣＫｉｎを周波数カウンタ８０に入力する。
【００５０】
（第２の実施形態）
式（６）において容量値Ｃも可変にすることにより、チャージ電流の変化の幅をさらに小さくすることができる。図１０は、第２の実施形態に係る位相同期回路の構成を示す。本位相同期回路は容量値Ｃを可変にしたものである。具体的には、本位相同期回路は、第１の実施形態に係る位相同期回路とは異なる構成のループフィルタ４０Ａ及び定数決定部９０Ａを備えている。ループフィルタ４０Ａは、制御信号ＣＴＬ２及びＣＴＬ４に従って時定数を変更可能に構成されている。制御信号ＣＴＬ４は定数決定部９０Ａから出力される。以下、第１の実施形態と異なる点についてのみ説明する。
【００５１】
図１１は、ループフィルタ４０Ａの内部構成例を示す。本例に係るループフィルタ４０Ａでは、制御信号ＣＴＬ２に従って、並列接続される抵抗の個数が変化するとともに、制御信号ＣＴＬ４に従って、並列接続される容量の個数が変化するように構成されている。ループフィルタ４０Ａの時定数は並列接続される抵抗及び容量の個数に応じて変化する。
【００５２】
式（６）において容量値Ｃを可変にすると、式（８）及び（９）は次式（１０）及び（１１）のようになる。
【００５３】
【数７】
0004754580.tif 000008
【００５４】
ただし、Ｃｒｅｆは容量値Ｃの基準値、Ｃ（ω）はカウント値ωを変数として容量値Ｃを返す関数である。
【００５５】
図１２は、定数決定部９０Ａの内部構成例を示す。本例に係る定数決定部９０Ａは、図８に示した定数決定部９０に、容量値選択部９５を追加したものである。容量値選択部９５は、カウント値ωに対応する容量値Ｃを表す制御信号ＣＴＬ４を出力する。すなわち、容量値選択部９５は上記の関数Ｃ（ω）を実現するものである。具体的には、容量値選択部９５は、カウント値ωに対して離散値を出力するルックアップテーブルで実現可能である。
【００５６】
チャージ電流決定部９３Ａは、式（１０）に従って、カウント値ωに対するチャージ電流Ｉｐの大きさを制御する制御信号ＣＴＬ１を出力する。時定数決定部９４Ａは、式（１１）に従って、カウント値ωに対するループフィルタ４０の抵抗値を制御する制御信号ＣＴＬ２を出力する。チャージ電流決定部９３Ａ及び時定数決定部９４Ａにおいて内部的に入力される基準値Ｃｒｅｆはレジスタ群に格納されている。
【００５７】
なお、上記の定数決定部９０Ａの構成はほんの一例であり、式（１０）及び（１１）を実現する回路構成は他にもさまざまなものが考えられる。また、プロセッサなどで数値演算によりチャージ電流Ｉｐの大きさ、ループフィルタ４０Ａの抵抗値及び容量値及び電圧制御発振器５０のゲインをそれぞれ算出するようにしてもよい。
【００５８】
以上、本実施形態によると、入力周波数が変化したとき、容量値及び電圧制御発振器のゲインも同時に制御されるため、チャージ電流の大きさの変化の幅が第１の実施形態の場合よりもさらに小さくて済む。例えば、入力周波数が１００倍の範囲で変化する場合、容量値及び電圧制御発振器のゲインをそれぞれ１６倍の範囲で可変にすることで、チャージ電流の変化の幅は約３９倍（＝１００２／１６／１６）で済む。
【００５９】
（第３の実施形態）
図１３は、第３の実施形態に係る位相同期回路の構成を示す。本位相同期回路は、第１の実施形態に係る位相同期回路におけるループフィルタ４０に代えて、スイッチトキャパシタフィルタで構成したループフィルタ４０Ｂを備えている。以下、第１の実施形態と異なる点についてのみ説明する。
【００６０】
図１４は、ループフィルタ４０Ｂの内部構成例を示す。本例に係るループフィルタ４０Ｂは、基準信号ＣＫｒｅｆによって制御されるスイッチトキャパシタフィルタ４０１を備えている。スイッチトキャパシタフィルタ４０１のカットオフ周波数は基準信号ＣＫｒｅｆの周波数であるωｉｎ／Ｍに比例するため、式（７）において入力周波数ωｉｎの変化と抵抗値Ｒの変化とが相殺され、ダンピングファクタζは一定に保たれる。したがって、定数決定部９０においてループフィルタ４０Ｂの時定数を制御するための信号を生成する必要がなくなり、回路が簡略化される。
【００６１】
なお、基準信号ＣＫｒｅｆに代えて入力信号ＣＫｉｎでスイッチトキャパシタフィルタ４０１を制御してもよい。また、電圧制御発振器５０の出力信号ＣＫｏｕｔでスイッチトキャパシタフィルタ４０１を制御することも可能であるが、位相同期回路の起動時などには出力信号ＣＫｏｕｔは出力されず、スイッチトキャパシタフィルタ４０１が動作しないため、好ましくは、入力信号ＣＫｉｎ又は基準信号ＣＫｒｅｆで制御する。
【産業上の利用可能性】
【００６２】
本発明に係る位相同期回路は、幅広く変化する入力周波数に対して優れたジッタ特性を呈するため、特に、信号処理用プロセッサや演算処理用プロセッサなどに搭載され、これらプロセッサにおける同期信号を生成する位相同期回路として有用である。
【図面の簡単な説明】
【００６３】
【図１】図１は、第１の実施形態に係る位相同期回路の構成図である。
【図２】図２は、チャージポンプ回路の内部構成図である。
【図３】図３は、ループフィルタの内部構成図である。
【図４】図４は、電圧制御発振器の内部構成図である。
【図５】図５は、一次発振器の内部構成図である。
【図６】図６は、一次発振器の発振波形図である。
【図７】図７は、周波数カウンタの内部構成図である。
【図８】図８は、定数決定部の内部構成図である。
【図９】図９は、第１の実施形態に係る位相同期回路の応答特性を示すグラフである。
【図１０】図１０は、第２の実施形態に係る位相同期回路の構成図である。
【図１１】図１１は、ループフィルタの内部構成図である。
【図１２】図１２は、定数決定部の内部構成図である。
【図１３】図１３は、第３の実施形態に係る位相同期回路の構成図である。
【図１４】図１４は、ループフィルタの内部構成図である。
【符号の説明】
【００６４】
１０  分周器（入力信号分周器）
２０  位相比較器
３０  チャージポンプ回路
４０，４０Ａ，４０Ｂ  ループフィルタ
４０１  スイッチトキャパシタフィルタ
５０  電圧制御発振器
６０  分周器（出力信号分周器）
７０  一次発振器
７０１  容量
７０２  比較器（第１の比較器）
７０３  比較器（第２の比較器）
７０４  ＲＳフリップフロップ
７０５  チャージポンプ回路
８０  周波数カウンタ
９０，９０Ａ  定数決定部
９１  ゲイン選択部
９３，９３Ａ  チャージ電流決定部
９４，９４Ａ  時定数決定部
９５  容量値選択部
９２  比例定数選択部
【図１】
0004754580.tif 000009
【図２】
0004754580.tif 000010
【図３】
0004754580.tif 000011
【図４】
0004754580.tif 000012
【図５】
0004754580.tif 000013
【図６】
0004754580.tif 000014
【図７】
0004754580.tif 000015
【図８】
0004754580.tif 000016
【図９】
0004754580.tif 000017
【図１０】
0004754580.tif 000018
【図１１】
0004754580.tif 000019
【図１２】
0004754580.tif 000020
【図１３】
0004754580.tif 000021
【図１４】
0004754580.tif 000022